【事件の表示】
　平成　８年特許願第１１９１８２号「オイルサービスタンク装置」拒絶査定に対する審判事件［平成　９年１１月２８日出願公開、特開平　９−３０３７４９］について、次のとおり審決する。
【結　論】
　本件審判の請求は、成り立たない。
【理　由】
１．手続の経緯・本願発明
　
　本願は、平成８年５月１４日に出願され、平成１２年１２月２６日付け拒絶理由通知書に対応するため、平成１３年３月１５日付け手続補正書により明細書の特許請求の範囲の欄と発明の詳細な説明の欄を補正した。平成１３年５月２９日付けで本願は拒絶の査定がなされ、当該査定を不服とする審判が平成１３年７月５日付けで請求された。
　
　本願発明の特許請求の範囲の欄の請求項１ないし請求項３（以下、それぞれ「本願発明１」ないし「本願発明３」という。）にかかる発明は、各々上記平成１３年３月１５日付け手続補正書により補正された【特許請求の範囲】の欄の【請求項１】ないし【請求項３】に記載された以下のとおりのものと認める。
　
「【請求項１】　底壁と周壁を有し上部を開放してなり、後記オイルサービスタンクより大容量の鋼製の皿形容器と、該皿形容器の底壁に固着される支持フレームと、該支持フレーム上に取り付けたオイルサービスタンクを備え、該オイルサービスタンクに外部から送油するポンプを該オイルサービスタンクの下方で該支持フレームに取り付け、バルブを介装した油配管を該ポンプとオイルサービスタンクに接続することを特徴とするオイルサービスタンク装置。
【請求項２】　請求項１において、支持フレームが基台と中間架台とから成り、該中間架台上にオイルサービスタンクを取り付け、該基台にポンプを取り付けることを特徴とするオイルサービスタンク装置。
【請求項３】　請求項１において、基台とオイルサービスタンクにわたってタラップを取付けたことを特徴とするオイルサービスタンク装置。」
　
２．刊行物
　
　上記平成１２年１２月２６日付け拒絶理由通知書に引用された実願昭４８−５１１７０号（実開昭５０−１９１１号）のマイクロフィルム（以下「刊行物１」という。）には、図面とともに以下のものが記載されている。
　
ア）「本考案は液体燃料の落差式補給タンクに関する。
　本考案の目的とする処は、主として暖冷房用の液体燃料を落差を利用して燃焼機構に自動供給できるようにした液体燃料の落差式補給タンクを提供するにある。
　又、本考案の他の目的とする処はメインタンクに対しその上方に必要な高さを保持したシスタンクを設け該シスタンク内に貯留される液体燃料の落差を利用して離隔した個処に設けた一又はそれ以上の燃焼機構に自動供給できるようにした液体燃料の落差式補給タンクを提供するにある。」（１頁１３行〜２頁３行）
　
イ）「１は屋外屋内等所望の個処に配置できるメインタンクで第１図に示すものは大型で特性の構造物であり、第２図に示すものはドラム缶でそれ自体をメインタンク１として利用している。２は高さを自由に調節できるシスタンクで第１図に示すものはメインタンク１より起立させた支脚により所望の高さに配置してあり又第２図に示すものはドラム缶の上部に着脱自在の支脚３を起立させ該支脚３上にシスタンク２を取付けてある。４は吸上モーター５を有する配管で、メインタンク１内に抜挿自在に挿着せしめ、メインタンク１内に石油等の液体燃料を給油したり或いはシスタンク２に排油するものである。６は吸油管、７はシスタンク２の下部に突出させた排管でバルブ８を有しシスタンク２内に貯溜した汚物又は水分を排出できるようにしてある。９は該排管７に沿って竝設した透明なオイルゲージでシスタンク２内のオイル充填状態を検出できるようにしてある。１０はシスタンク２の下部より導出した給油管で地上又は地下を通って離隔地にある所望のバーナー機構ａ，ａ・・・・・・・・・とバルブ１１を介して接続してある。１２は前記吸上モーター５を作動させるための電気制御を行うことができる配電操作盤で、第１図の場合は手動用押釦スイッチ１３及び自動押釦スイッチ１４が竝設してあり、第２図の場合は自動用押釦スイッチ１４が設けてある。
　而して、第１図の場合にあっては、外部のオイルタンクと通ずる給油管１５を吸上モーター５の一側に接続すると共に該吸上モーター５の両側に位置して給油管１５及び吸油管６には夫々切換換バルブ１６，１７を設け、外部のオイルタンクよりメインタンク１に給油する時は切換バルブ１６を開き切換バルブ１７を閉じ、給油管１５の吸上端１５’を外部のオイルタンク内に挿込み配電操作盤１２の手動用押釦スイッチ１３を押圧して吸上モーター５を作動させることにより外部タンクのオイルは給油管１５、吸上モーター５及び配管４を通ってメインタンク１内に給油されるもので該メインタンク１内にオイルが充満した時点で手動用押釦スイッチ１３の押圧を解放することにより吸上モーター５の作動は停止して給油がストップするものである。又、メインタンク１内にオイルが充填された後はバルブ１６を閉じ、バルブ１７を開くことにより配管４，吸上モーター５，吸油管６及びシスタンク２の吸油回路が構成されるので自動押釦スイッチ１４を操作することによりメインタンク１よりシスタンク２に通ずる給油操作がオートマチックに行われるもので即ち、シスタンク２内のレベルスイッチが或る高さ以下になると之れが自動的に働いて吸油モーター５の電路が閉じ、該吸油モーター５によりメインタンク１内のオイルはシスタンク２内に給油され該給油の結果一定の高さに達するとレベルスイッチが働いて吸油モータ５の電路を開いてその作動を停止し、給油が終了するもので斯様に自動的に同一操作を反復継続できるようにしてある。
　叙上の構成に基づいて本考案の作用を説明する。
　メインタンク１及びシスタンク２を所望の場所例えば屋外に設置し給油管１０を地中に沿って屋内に導びき、暖房用又は冷房用のバーナー機構ａにバルブ１１を介して接続する。而して、該バーナー機構ａは一又は多数を設けることができ、屋内の設置個処は一階でも二階でも良く要はシスタンク２の設置高さより低く設置することが必要且つ十分な条件である。
　斯くして配電盤１２の自動押釦スイッチ１４を押圧しバルブ１１を開き、各個処に設置したバーナー機構ａ，ａ・・・・・・・・を点火するときは該バーナー機構ａ，ａ・・・・・・・・・の燃焼位置はその燃料の供給タンク即ちシスタンク２の設置個処より低位にあるので落差により燃料は自動的に供給されその燃焼を円滑に継続できるものである。」（３頁１４行〜７頁４行）
　
３．対比
　
　上記「２．　ア）、イ）」の記載から、刊行物１に記載されたものは、「外部のオイルタンク」から「液体燃料」を「シスタンク２」に導入し、「シスタンク２」から「主として暖冷房用の液体燃料を落差を利用して燃焼機構に自動供給できるように」したものである。「燃焼機構」の実施例として、刊行物１には、「バーナー機構ａ」が記載されている。
　刊行物１に記載されたものは、油を貯蔵する貯蔵タンクとバーナーなどの中間に位置して一時的に貯油しておくタンク装置である点で、本願発明１と共通の技術分野に属する。
　
　上記「２．　イ）」には、「吸上モーター５を作動させることにより外部タンクのオイルは給油管１５、吸上モーター５及び配管４を通ってメインタンク１内に給油されるもので該メインタンク１内にオイルが充満した時点で手動用押釦スイッチ１３の押圧を解放することにより吸上モーター５の作動は停止して給油がストップするものである。又、メインタンク１内にオイルが充填された後はバルブ１６を閉じ、バルブ１７を開くことにより配管４，吸上モーター５，吸油管６及びシスタンク２の吸油回路が構成されるので自動押釦スイッチ１４を操作することによりメインタンク１よりシスタンク２に通ずる給油操作がオートマチックに行われる」と記載されているから、刊行物１に記載された「吸上モーター５」は、「シスタンク２」に外部から送油するものである。そして、「吸上モーター５」と「シスタンク２」の間には、「バルブ１７」を介装した「吸油管６」が接続されている。
　第１図記載の実施例につき、上記「２．　イ）」は、「２は高さを自由に調節できるシスタンクで第１図に示すものはメインタンク１より起立させた支脚により所望の高さに配置してあり」、「４は吸上モーター５を有する配管で、メインタンク１内に抜挿自在に挿着せしめ、メインタンク１内に石油等の液体燃料を給油したり或いはシスタンク２に排油するものである」と記載しているから、「シスタンク２」は、「メインタンク１より起立させた支脚に」に取り付けられていて、かつ、「吸上モーター５」は「４は吸上モーター５を有する配管で、メインタンク１内に抜挿自在に挿着せしめ」ることで「シスタンク２」の下方に取り付けられている。
　
　すると、刊行物１には以下の発明が記載されている。
　
「メインタンク１より起立させた支脚に取り付けたシスタンク２を備え、該シスタンク２に外部から送油する吸上モーター５を該シスタンク２の下方で吸上モーター５を有する配管４をメインタンク１内に抜挿自在に挿着せしめることで取り付け、バルブ１７を介装した吸油管６を該吸上モーター５とシスタンク２に接続することを特徴とするシスタンク２装置。」
　
　ここで、本願発明１と上記刊行物１に記載された上記発明とを対比すると、刊行物１記載の発明の「シスタンク２」、「吸上モーター５」、「バルブ１７」、「吸油管６」、「シスタンク２装置」は、それぞれ、本願発明１の「オイルサービスタンク」、「ポンプ」、「バルブ」、「油配管」「オイルサービスタンク装置」にそれぞれ相当する。
　本願発明１と上記刊行物１に記載された発明は、以下の点で一致し、かつ、相違する。
　
［一致点］
　
「オイルサービスタンクを備え、該オイルサービスタンクに外部から送油するポンプを該オイルサービスタンクの下方に取り付け、バルブを介装した油配管を該ポンプとオイルサービスタンクに接続することを特徴とするオイルサービスタンク装置。」
　
［相違点］
　
・相違点ａ
　本願発明１の「オイルサービスタンク」の取付構造は、「底壁と周壁を有し上部を開放してなり、後記オイルサービスタンクより大容量の鋼製の皿形容器と、該皿形容器の底壁に固着される支持フレームと、該支持フレーム上に取り付けたオイルサービスタンク」としたものであるのに対し、刊行物１記載の「シスタンク２」の取付構造は、「メインタンク１より起立させた支脚に取り付けた」ものである点。
　
・相違点ｂ
　本願発明１の「ポンプ」の取付構造は、「オイルサービスタンクの下方で該支持フレームに取り付け」たものであるのに対し、刊行物１記載の「吸上モーター５」は、「吸上モーター５を吸上モーター５を有する配管４をメインタンク１内に抜挿自在に挿着せしめることで」「シスタンク２」の下方で取り付けたものである点。
　
４．判断
　
（１）相違点ａについて
　
　油を貯蔵するタンクを支持するにあたり、タンクより漏洩した油の拡大を防止するための「底壁と周壁を有し上部を開放した皿形容器と、該皿形容器の底壁に固着される支持フレームと」を設け、「該支持フレーム上に」油を貯蔵するタンクを設けること、そして、かかる皿形容器を鋼製にすること、及び当該皿形容器の容量を油を貯蔵するタンクより大容量とすることは、本願出願前周知（例えば、皿形容器を鋼製にすることは登録実用新案第３０００２６５号公報を参照されたい。皿形容器の容量を油を貯蔵するタンクより大容量とすることは、登録実用新案第３０００２６７号公報、実開平７−４０５８８号公報を参照されたい）の事項である。そうすると、漏洩した油の拡大防止のために、刊行物１記載の発明の油を貯蔵するタンクである「シスタンク２」の設置構造として、「底壁と周壁を有し上部を開放してなり、」「シスタンク２」「より大容量の鋼製の皿形容器と、該皿形容器の底壁に固着される支持フレームと」を設け、「当該支持フレーム」上に「シスタンク２」を設置することは、刊行物１記載の「シスタンク２」の支持構造に代えて、上記本願出願前周知の油を貯蔵するタンクの支持構造を適用したに過ぎず、当業者が容易になし得たものである。
　そして、上記周知の支持構造を適用することで、刊行物１記載の発明が格別な作用・効果を奏するとも認められない。　
　
（２）相違点ｂについて
　
　刊行物１記載の発明の「シスタンク２」を、本願出願前周知の「皿形容器」の底壁に固着される「支持フレーム」に取り付けたものにおいて、「吸上モーター５」を刊行物１記載の発明と同様に、「シスタンク２」の下方で取り付けようとすれば、取付位置として想定される場所は、上記「皿形容器」の内部か「支持フレーム」である。しかし、「皿形容器」内部は、「シスタンク２」よりの油漏洩時に、漏洩した油で満たされる可能性があるから、「吸上モーター５」の取付場所としては不適当である。したがって、「シスタンク２」下方に設ける「吸上モーター５」の取り付け場所を「支持フレーム」とすることは、当業者が容易に選択し得た事項である。
　そして、かかる選択の結果、格別な作用・効果を奏するとも認められない。
　
（３）小結
　
　「４．（１）、（２）」より、本願発明１は、刊行物１記載の発明及び本願出願前周知の事項から当業者が容易に発明することができたものである。
　
５．むすび
　
　以上の通りであるから、本願発明１は特許法第２９条第２項の規定により特許を受けることができない。
　したがって、本願発明２ないし本願発明３につき検討するまでもなく、本願は拒絶されるべきである。
　よって、結論のとおり審決する。